(57)【特許請求の範囲】
【請求項１】
当該空気調和機の本体内に設けられ、熱交換器を通過した空気を前記本体の吹き出し口へ導くファンケーシングと、
このファンケーシングに収納され、前記空気を送風するクロスフローファンと、
このクロスフローファンに軸を介して連結され、当該クロスフローファンを駆動するモータと、
このモータと前記クロスフローファンとを隔てる前記ファンケーシングの側板に設けられ、前記軸が貫通する軸穴部と、
ゴムもしくは軟質プラスチックからなり、前記モータに取り付けられるモータ保持部と、このモータ保持部と接続部を介して連結し、前記側板の方向に広がって延びる円錐状を成した円錐台部と、この円錐台部の終端から前記側板の方向に延び、先端面が前記軸穴部を塞ぐように前記側板に当接する筒部と、が一体に形成された防振部材と、
を備えたことを特徴とする空気調和機。
【請求項２】
前記防振部材は、前記円錐台部が前記接続部および前記筒部よりも薄肉に形成されたことを特徴とする請求項１に記載の空気調和機。
【請求項３】
前記防振部材は、前記円錐台部の途中から前記側板の方向に延び、前記筒部の内側で前記筒部とともに二重で前記軸穴部を塞ぐように先端面が前記側板に当接する内円筒部を備えたことを特徴とする請求項１に記載の空気調和機。
【請求項４】
前記防振部材は、前記モータ保持部と前記円錐台部とを連結する前記接続部を筒状とし、この筒状の接続部を前記円錐台部および前記筒部よりも硬質で厚くしたことを特徴とする請求項１に記載の空気調和機。
【発明の詳細な説明】
【技術分野】
【０００１】
この発明は、空気調和機の室内ユニットの送風装置に関するものである。
【背景技術】
【０００２】
従来の空気調和機の送風装置は、振動を緩和する筒状の防振部材をファンケーシング開口部と軸受け部とに装着するとき、開口部に当接して装着することにより、開口部を塞ぎ暖かい空気がケーシング内に侵入するのを防止すると共に結露を防止するようにしている（例えば、特許文献１参照）。
【０００３】
また、クロスフローファンの端面に連結される防振円板部と、その中心に連続しているボス部からなるゴムボスにより振動をファンに伝えないようにしているものもある（例えば、特許文献２参照）。
【特許文献１】特開２００４−１４４３１８号公報（第７頁、第３図）
【特許文献２】実開昭６３−１２８２９４号公報（第８頁、第１図）
【発明の開示】
【発明が解決しようとする課題】
【０００４】
従来の空気調和機の送風装置は、モータの振動をファンケーシングに伝えやすいという問題点があった。また、組立ばらつきによって、ファンケーシングと防振部材間に隙間が発生し、モータ軸付近から流れ込む湿った空気により結露が発生する可能性があるという問題点があった。
【０００５】
また、特許文献２のように、ファンの防振はするが、軸付近から流れ込む湿った空気による結露は考慮されていないという問題点があった。
【０００６】
この発明は、上記のような課題を解決するためになされたもので、第１の目的はモータの振動を防止しながら、ファンケーシングのモータ軸穴部を確実に密閉し、また、ゴム形状により組立ばらつきを吸収することができ、負圧により軸穴部から風路内部へ湿った空気が侵入し風路内部が結露することを防ぐことができる、さらに風路外部のファンケーシングに付着した結露水が、負圧により軸穴部から風路内部に侵入することを防ぐことができる空気調和機を得るものである。
【課題を解決するための手段】
【０００７】
この発明に係る空気調和機は、当該空気調和機の本体内に設けられ、熱交換器を通過した空気を本体の吹き出し口へ導くファンケーシングと、このファンケーシングに収納され、空気を送風するクロスフローファンと、このクロスフローファンに軸を介して連結され、当該クロスフローファンを駆動するモータと、このモータとクロスフローファンとを隔てるファンケーシングの側板に設けられ、軸が貫通する軸穴部と、ゴムもしくは軟質プラスチックからなり、モータに取り付けられるモータ保持部と、このモータ保持部と接続部を介して連結し、側板の方向に延びる円錐状を成した円錐台部と、この円錐台部の終端から側板の方向に延び、先端面が軸穴部を塞ぐように側板に当接する筒部と、が一体に形成された防振部材と、を備えたものである。
【発明の効果】
【０００８】
この発明の空気調和機は、当該空気調和機の本体内に設けられ、熱交換器を通過した空気を本体の吹き出し口へ導くファンケーシングと、このファンケーシングに収納され、空気を送風するクロスフローファンと、このクロスフローファンに軸を介して連結され、当該クロスフローファンを駆動するモータと、このモータとクロスフローファンとを隔てるファンケーシングの側板に設けられ、軸が貫通する軸穴部と、ゴムもしくは軟質プラスチックからなり、モータに取り付けられるモータ保持部と、このモータ保持部と接続部を介して連結し、側板の方向に延びる円錐状を成した円錐台部と、この円錐台部の終端から側板の方向に延び、先端面が軸穴部を塞ぐように側板に当接する筒部と、が一体に形成された防振部材と、を備えたので、防振部材が、モータの振動が本体に伝わるのを抑えながら、その形状によりモータと本体の組立上のばらつきを吸収してファンケーシングのモータ軸穴部を確実に塞ぐことで、軸穴部からファンケーシング内へ湿った空気が侵入するを防いでファンケーシング内の結露を防止することができると共に、ファンケーシングに付着した結露水が軸穴部を通ってファンケーシング内に侵入することによる露垂れを防ぐことができるという効果を有する。
【発明を実施するための最良の形態】
【０００９】
実施の形態１．
図１はこの発明の実施の形態１における空気調和機の送風装置の部分透視図、図２はこの発明の実施の形態１における空気調和機の送風装置を示す断面図、図３はこの発明の実施の形態１における空気調和機の送風装置を示す要部断面図、図４はこの発明の実施の形態１における空気調和機送風装置の防振材を示す拡大断面図である。図において、室内の空気を空調する空気調和機の本体１内には、通過空気を空調する熱交換器２が設けられている。この熱交換器２を通過した空気を本体の吹き出し口へ導くファンケーシング３には、このファンケーシング３に、空気を送風するクロスフローファン４が収納されている。クロスフローファン４を駆動するモータ５は、軸５ａを介して連結されている。
【００１０】
なお、前記モータ５の軸５ａはファンケーシング３の側板３ａに設けられた軸穴部３ｂを貫通してネジ等によりファンケーシング３内のクロスフローファン４を固着すると共に、ゴムまたは軟質プラスチックからなり、モータ５の振動伝搬を緩和する防振部材本体６を前記モータ５の軸受け部５ｂに取り付けている。前記防振部材本体６は前記モータ５の軸受け部５ｂに取り付けられるモータ保持部６ａと、振動吸収部６ｂとから構成されている。さらに前記モータ保持部６ａは、保持肉厚部６ｃとこの保持肉厚部６ｃと連続する保持薄肉部６ｄから形成されている。また、前記振動吸収部６ｂは、前記保持薄肉部６ｄと先端接続部６ｅで連結して軸方向に延出した円錐台中肉厚部６ｆと、前記ファンケーシング３の側板３ａに軸方向に圧縮当接して振動を均等に受ける円錐台筒部６ｇとから形状されている。
【００１１】
次に動作について説明する。このように構成された空気調和機の本体１においては、電源が投入されると、モータ５が駆動し、モータ軸５ａが回転すると、このモータ軸５ａにネジで固定されたファンケーシング３内のクロスフローファン４が回転する。このクロスフローファン４の回転によりクロスフローファン４を収納したファンケーシング３の吸い込み側は負圧状態となり、吹き出し側は正圧状態となるため、室内空気は本体１の吸い込み口から熱交換器２を通過して、ファンケーシング３の吸い込み口３ｃへ吸い込まれ、その吹き出し口３ｄから本体１の吹き出し口１ａを介して室内へ吹き出される。
【００１２】
なお、このとき、モータ保持部６ａのモータ軸受け部５ｂに筒状に取り付けられる防振部材６は、振動吸収部６ｂによりモータ５の振動が本体１に伝わるのを抑えることができ、さらに、防振部材振動吸収部６ｂの円錐台筒部６ｇは、その先端面をファンケーシング３の側板３ａに密着して圧縮当接しているので、前記ファンケーシング３の側板３ａに設けられた軸穴部３ｂを確実に塞ぐことができ、クロスフローファン４の回転によりファンケーシング３内が負圧になっても、ファンケーシング３の軸穴部３ｂからモータ５側の湿った暖かい空気が侵入を防ぎ、熱交換器２を通過した冷たい空気と混合しなくなるため、ファンケーシング３内の結露を防止できる効果がある。
【００１３】
さらに、防振部材６振動吸収部６ｂの円錐台筒部６ｇは、このモータ保持部６ａから軸方向に延出した円錐形状を成し、その先端面がファンケーシング３のケーシング側板３ａに軸方向に圧縮して均等に当接しているので、モータ５と本体１間の組立上のばらつきを吸収することができ、このファンケーシング３の軸穴部３ｂからモータ５側の湿った暖かい空気の侵入を確実に防ぎ、熱交換器２を通過した冷たい空気と混合しなくなるため、ファンケーシング３内の結露を防止できる。また、ファンケーシング３の側板３ａに付着した露がこの側板３ａに設けられた軸穴部３ｂを通ってファンケーシング３内に侵入することも確実に防ぎ、また、組立ばらつきを吸収できるため、組立作業を単純化でき、かつ効率化が図れる効果がある。
【００１４】
以上の実施の形態１では、モータ５の振動伝搬を緩和する防振部材６をゴムまたは軟質プラスチックとし、前記振動吸収部６ｂは、前記保持薄肉部６ｄと先端接続部６ｅで連結して軸方向に延出した円錐台中肉厚部６ｆと、前記ファンケーシング３の側板３ａに軸方向に圧縮当接して振動を均等に受ける円錐台筒部６ｇとから形状されているものであるが、さらに、実施の形態１の他の例では、モータ５の振動を確実に本体１に伝わるのを抑える場合には防振部材６の軸方向に延出した円錐台中肉厚部６ｆを防振部材６の他の部分よりも柔らかくした構成で説明する。
【００１５】
図５は、このような場合の、防振部材６の拡大断面図である。この防振部材６は実施の形態１と同様にゴムまたは軟質プラスチックからなり、図５に示されるように、モータ保持部６ａと、振動吸収部６ｂとから構成されているが、前記振動吸収部６ｂを薄肉形状に形成して円錐台薄肉部６ｈとしている。
【００１６】
以上のように、防振部材６の振動吸収部６ｂを他の部分よりも柔らかくして薄肉形状に形成して円錐台薄肉部６ｈとしているので、モータ５の振動がファンケーシング側板３ａに伝わるのを確実に抑えることができる。また、防振部材振動吸収部６ｂの円錐台筒部ｇがファンケーシング３のケーシング側板３ａに軸方向に圧縮して当接しているが、柔らかくすることで振動は伝えずに圧縮量を増やすことができ、確実に露や湿った空気の侵入を防ぎ、結露を防止でき、組立ばらつきを吸収できるため、組立も効率的に行うことが容易にできる。
【００１７】
また、以上の実施の形態では、モータ５の振動伝搬を緩和する防振部材６をゴムまたは軟質プラスチックとし、モータ保持部６ａから軸方向に延出した円錐形状を成し、振動吸収部６ｂの円錐台筒部６ｇ先端面が前記ファンケーシング３の側板３ａに軸方向に圧縮して当接しているものであるが、実施の次に、この振動吸収部６ｂの内側に前記円錐台筒部６ｇと二重構造を成し前記ファンケーシング３の側板３ａに密着当接する内円筒部６ｉを形成した実施の形態１の他の例の構成とした。
【００１８】
図６は、このような場合の、防振部材６の拡大断面図である。この防振部材６は実施の形態と同様にゴムまたは軟質プラスチックからなり、図５に示されるように、モータ保持部６ａと、振動吸収部６ｂで形成されるが、振動吸収部６ｂの内側に前記円錐台筒部６ｇと二重構造を成し前記ファンケーシング３の側板３ａに密着当接する内円筒部６ｉを前記ファンケーシング３の側板３ａに当接するように円錐台筒部６ｇと内円筒部６ｉとで二重構造を形成している。
【００１９】
以上のように、振動吸収部６ｂの内側に前記円錐台筒部６ｇと二重構造を成し前記ファンケーシング３の側板３ａに密着当接する内円筒部６ｉを前記ファンケーシング３の側板３ａに当接するように円錐台筒部６ｇと内円筒部６ｉとで二重構造としているので、防振部材６の変形や組立ばらつきを吸収し、露や湿った空気の侵入を防ぎ、結露防止をすることができる。
【００２０】
また、以上の実施の形態１の複数の他の例では、モータ５の振動伝搬を緩和する防振部材６をゴムまたは軟質プラスチックとし、モータ保持部６ａから軸方向に延出した円錐形状を成し、その先端部がファンケーシング３の側板３ａに軸方向に圧縮して当接している振動吸収部６ｂで形成したものであるが、実施の形態１の他の例では、ファンケーシング３の側板３ａとモータ５との距離が長い場合には、前記モータ保持部６ａと振動吸収部６ｂとの間に軸方向に伸びた筒状接続部６ｊを形成し、この筒状接続部６ｊの内径寸法Ａをを振動によるモータ５の軸５ａの当たりを避けるように前記モータ５の軸５ａ寸法Ｂとしモータ保持部６ａの寸法に近似した構成を説明する。
【００２１】
図７は、このような場合の、防振部材６の拡大断面図である。この防振部材６は前記実施の形態と同様にゴムまたは軟質プラスチックからなり、図７に示されるように、モータ保持部６ａと、振動吸収部６ｂとの間に軸方向に伸びた筒状接続部６ｊを形成し、この筒状接続部６ｊを中肉厚硬質性を持たせて内径寸法Ａに成し振動によるモータ５の軸５ａの当たりを避けるように前記モータ５の軸５ａ寸法Ｂとしてモータ保持部６ａの寸法に近似した構成とし、前記ファンケーシング３の側板３ａに軸方向に圧縮しても軸に近接しないようにしている。
【００２２】
以上のように、モータ保持部６ａと、振動吸収部６ｂとの間に軸方向に伸びた筒状接続部６ｊを形成し、この筒状接続部６ｊを硬質性中肉厚を持たせて内径寸法Ａに成し振動によるモータ５の軸５ａの当たりを避けるように前記モータ５の軸５ａ寸法Ｂとしてモータ保持部６ａの寸法に近似した構成としているので、モータ保持部６ａと、振動吸収部６ｂとの間の接続部を硬質性中肉厚にすることにより、振動によるモータ５の軸５ａの当たりによる異常音の発生を防ぎ、また、防振部材の成形不良を減らす効果を奏することができる。
【図面の簡単な説明】
【００２３】
【図１】この発明の実施の形態１における空気調和機の送風防振装置を示す概略透視斜視図である。
【図２】この発明の実施の形態１における空気調和機の送風防振装置を示す断面図である。
【図３】この発明の実施の形態１における空気調和機の送風防振装置を示す要部断面図である。
【図４】この発明の実施の形態１における送風防振装置の防振部材を示す拡大断面図である。
【図５】この発明の実施の形態１における他の送風防振装置の防振部材を示す拡大断面図である。
【図６】この発明の実施の形態１における他の送風装置の防振部材を示す拡大断面図である。
【図７】この発明の実施の形態１における他の送風装置の防振部材を示す拡大断面図である。
【符号の説明】
【００２４】
１  空気調和機本体、１ａ  吹き出し口、２  熱交換器、３  ファンケーシング、３ａ  側板、３ｂ  軸穴部、３ｃ  吸い込み口、３ｄ  吹き出し口、４  クロスフローファン、５  モータ、５ａ  軸、５ｂ  軸受け部、６  防振部材、６ａ  モータ保持部、６ｂ  振動吸収部、６ｃ  保持肉厚部、６ｄ  保持薄肉部、６ｅ  先端接続部、６ｆ  円錐台中肉厚部、６ｇ  円錐台筒部、６ｈ  円錐台薄肉部、６ｉ  内円筒部、６ｊ  筒状接続部。
【図１】
0004513718.tif 000002
【図２】
0004513718.tif 000003
【図３】
0004513718.tif 000004
【図４】
0004513718.tif 000005
【図５】
0004513718.tif 000006
【図６】
0004513718.tif 000007
【図７】
0004513718.tif 000008